(57)【要約】【課題】本発明は、放送の視聴中又は放送の記録中の着呼に対しても使用者が所望の応答を選択でき、視聴中の内容を見逃したり、記録中の内容を録り逃したりすることがない携帯端末装置を提供することを目的とする。【解決手段】本発明は、スピーカ３と、マイク４と、表示部８と、電話送受信部５と、バイブレータ９と、放送受信部６と、データ記録処理部１１と、記憶部１０と、データ再生処理部１２とを備える携帯端末装置である。さらに、本発明は、放送受信部６を用いて放送を視聴中又は記録中に、電話送受信部５に着呼があった場合、使用者の操作に基づき通話中に放送受信部６が受信したデータをデータ記録処理部１１で処理し記憶部１０に記憶するように制御する制御部２を備える携帯端末装置である。【選択図】図１
2007166249.tif 000002
【特許請求の範囲】
【請求項１】
音を外部に出力する音出力手段と、
外部からの音を入力する音入力手段と、
画像を表示する表示部と、
無線あるいは有線によって音声通話が可能な電話送受信部と、
前記電話送受信部に着呼があった場合に、使用者に対し当該着呼を通知する通知手段と、
無線あるいは有線によって放送を受信可能な放送受信部と、
前記放送受信部により受信したデータを記憶できるように所定の形式に変換するデータ記録処理部と、
前記データ記録処理部により処理されたデータを記憶する記憶部と、
前記記憶部に記憶されたデータを前記音出力部や前記表示部から出力することが可能な形式に変換するデータ再生処理部と、
前記放送受信部を用いて放送を視聴中又は記録中に、前記電話送受信部が前記着呼した場合、前記使用者の操作に基づき通話中に前記放送受信部が受信したデータを前記データ記録処理部で処理し前記記憶部に記憶するように制御する制御部とを備える携帯端末装置。
【請求項２】
請求項１に記載の携帯端末装置であって、
前記制御部は、前記電話送受信部が前記着呼した場合、当該前記着呼に対して自動応答処理を行うことを前記使用者が予め設定することができることを特徴とする携帯端末装置。
【請求項３】
請求項１又は請求項２に記載の携帯端末装置であって、
前記通知手段は、バイブレータであることを特徴とする携帯端末装置。
【請求項４】
請求項１乃至請求項３のいずれか１つに記載の携帯端末装置であって、
前記制御部は、前記記憶部に記憶させるデータを圧縮するデータ圧縮部をさらに有することを特徴とする携帯端末装置。
【発明の詳細な説明】
【技術分野】
【０００１】
本発明は、携帯情報端末に係る発明であって、特に、放送受信機能を具備する携帯端末装置に関するものである。
【背景技術】
【０００２】
従来の携帯端末装置では、アンテナ、無線電話網の基地局に無線で接続される送受信部、音声処理部、及びこれらを制御する制御部等を備えることで、通話を行うことができる。また、携帯端末装置は常時携帯する人が多いことから、電話機能以外に音楽プレーヤ等が組み込まれる場合がある。音楽プレーヤが組み込まれた携帯端末装置の場合、上記の構成以外に、音楽等の音データを記憶する記憶部、記憶部から音データを読み出し再生処理可能な音楽プレーヤ部等がさらに設けられている。また、音楽プレーヤが組み込まれた携帯端末装置の場合、イヤホンマイクを用いて音楽を聴くため、イヤホンマイクが接続されるイヤホンジャック部、イヤホンジャック部にイヤホンマイクが接続されているか否かを検出するイヤホン接続検出部等も備えている。
【０００３】
上記のような音楽プレーヤが組み込まれた携帯端末装置の場合、音楽プレーヤ部が動作中に着信（着呼）があると、制御部は音楽プレーヤ部の再生動作を継続したままで、バイブレータを駆動して着呼があったこと使用者に通知することができる。つまり、イヤホンマイクがイヤホンジャックに接続されている場合であっても、音によらずに着呼があったことを通知することができるので、使用者は気分良く音楽を継続して楽しめることができる。以上の構成の携帯端末装置については特許文献１に詳しく説明されている。
【０００４】
【特許文献１】特開２００４−８０３９５号公報
【発明の開示】
【発明が解決しようとする課題】
【０００５】
背景技術で説明した携帯端末装置では、音楽の再生中に生じた着呼について、着信音によって使用者に通知するのではなく、例えば、バイブレータやＬＥＤ（Light Emitting Diode）等の音以外の通知手段によって着呼を通知していた。これにより、着呼に伴う不快感を使用者に与えることがなかった。
【０００６】
また、背景技術で説明した携帯端末装置では、音楽再生中の着呼に対する応答について、使用者が選択することが可能であり、着信拒否することもできる。さらに、音楽再生中の着呼に対して、使用者が音楽再生を中断し通話を選択した場合、通話終了後の音楽再生の再開については、予め決められた方法で再開するか、通話終了時に使用者が再開方法を選択するかが可能である。
【０００７】
しかし、近年の携帯端末装置では、音楽プレーヤ部以外に有料放送や公共放送の受信が可能な放送受信部を備える場合がある。このような放送受信部を備えた携帯端末装置では、音楽や画像（静止画や動画を含む）の放送の視聴中あるいは放送の記録中に着呼があり応答した場合には、視聴中の内容を見逃したり、記録している内容を録り逃したりする可能性があった。また、放送の視聴や記録を優先して通話に出ない場合が増えると、通信事業者にとっては通信収入の減少になる。
【０００８】
そこで、本発明は、音楽や動画の再生中の着呼に対する応答だけでなく、放送の視聴中又は放送の記録中の着呼に対しても使用者が所望の応答を選択でき、視聴中の内容を見逃したり、記録中の内容を録り逃したりしない携帯端末装置を提供することを目的とする。
【課題を解決するための手段】
【０００９】
本発明に係る解決手段は、音を外部に出力する音出力手段と、外部からの音を入力する音入力手段と、画像を表示する表示部と、無線あるいは有線によって音声通話が可能な電話送受信部と、電話送受信部に着呼があった場合に、使用者に対し着呼を通知する通知手段と、無線あるいは有線によって放送を受信可能な放送受信部と、放送受信部により受信したデータを記憶できるように所定の形式に変換するデータ記録処理部と、データ記録処理部により処理されたデータを記憶する記憶部と、記憶部に記憶されたデータを音出力部や表示部から出力することが可能な形式に変換するデータ再生処理部と、放送受信部を用いて放送を視聴中又は記録中に、電話送受信部が着呼した場合、使用者の操作に基づき通話中に放送受信部が受信したデータをデータ記録処理部で処理し記憶部に記憶するように制御する制御部とを備える。
【発明の効果】
【００１０】
本発明に記載の携帯端末装置は、放送受信部を用いて放送を視聴中又は記録中に、電話送受信部が着呼した場合、使用者の操作に基づき通話中に放送受信部が受信したデータをデータ記録処理部で処理し記憶部に記憶するように制御するので、放送の視聴中あるいは放送の記録中の着呼に対して、使用者の望む応答が可能となり利便性が向上し、また、通話中の視聴内容を見逃したり、録り逃したりすることもなくなる。さらに、本発明に記載の携帯端末装置では、通話機会を逸する割合が低下することが予想されるため、通信事業者にとっても通信収入が増える利点がある。
【発明を実施するための最良の形態】
【００１１】
（実施の形態１）
以下に、本発明の実施の形態を詳細に説明する。まず、図１に本実施の形態に係る携帯端末装置のブロック図を示す。
【００１２】
図１に示す携帯端末装置１では、後述する各構成部を制御する制御部２と、音声等の音を外部に出力する音出力部であるスピーカ３と、音声等の音を外部から入力する音入力部であるマイク４と、無線あるいは有線によって音声通話を行う電話送受信部５と、無線あるいは有線によって有料放送又は公共放送の受信を行う放送受信部６と、使用者が携帯端末装置１に対し各種指示を行うための入力手段である操作部７とを備えている。さらに、図１に示す携帯端末装置１では、画像（静止画又は動画）を表示する表示部８と、電話送受信部５に着呼があったことを使用者に通知する通知手段の１つであるバイブレータ９と、制御部２の設定や音楽や動画等のデータを記憶する記憶部１０と、音楽や動画等のデータを記憶部１０に記憶するための処理を行うデータ記録処理部１１と、記憶部１０に記憶された音楽や動画等のデータを再生処理するデータ再生処理部１２とを備えている。
【００１３】
次に、図１に示す携帯端末装置１の各構成について説明する。まず、制御部２は、後述するスピーカ３、マイク４、電話送受信部５、放送受信部６、操作部７、表示部８、バイブレータ９、記憶部１０、データ記録処理部１１、及びデータ再生処理部１２とそれぞれ接続されており、当該各部の制御を行う。
【００１４】
スピーカ３は、電話送受信部５による通話の音声や、データ再生処理部１２による音楽の再生音などを外部に出力する。スピーカ３は、１つ以上備えていればよく、２つ備えることで、音楽のステレオ再生が可能となる。
【００１５】
マイク４は、外部からの音を入力するものであり、電話送受信部５により通話を行う場合には使用者の音声が入力されることになる。
【００１６】
電話送受信部５は、無線通信あるいは有線通信によって、音声あるいは動画の通話を行うための入出力処理を行う。図１に示す携帯端末装置１では、無線通信を行う場合が示されており、電話送受信部５には、無線電話網の基地局との間で電波を送受信するためのアンテナＡが設けられている。
【００１７】
放送受信部６は、無線通信あるいは有線通信によって、有料放送あるいは公共放送など放送の受信処理を行う。図１に示す携帯端末装置１では、無線通信を行う場合が示されており、放送受信部６には、有料放送あるいは公共放送などの放送局から送信される電波を受信するためのアンテナＢが設けられている。
【００１８】
操作部７は、携帯端末装置１（主に制御部２）に対して、使用者が各種指示を入力する入力手段である。一般的に、操作部７は、数字とアルファベットが併記された複数の入力キーから構成されている。
【００１９】
表示部８は、画像や使用者に対する操作情報などを表示する出力手段である。一般的に携帯端末装置１は軽量化する必要があるため、表示部８にもモノクロあるいはカラーの薄型表示装置、例えばＬＣＤ（Liquid Crystal Display）やＥＬ（Electroluminescence）方式の表示装置が用いられる。
【００２０】
バイブレータ９は、電話送受信部５に着呼がある場合に、使用者に対して当該着呼を通知する通知手段である。具体的には、電話送受信部５が着呼するとバイブレータ９が振動して使用者に通知する。バイブレータ９は、着呼以外に、例えば所定の時間に設定したアラームにも使用することができる。
【００２１】
なお、使用者に対する通知手段としては、他にスピーカ３を用いる方法もある。しかし、スピーカ３を使用せずに、バイブレータ９を用いて通知をすれば、第三者に知られることなく使用者のみに通知することが可能となる。また、使用者に対する通知手段として、バイブレータ９を用いる以外に、表示部８に所定の画像を表示させる手段や、別途設けたＬＥＤ等の発光素子を点灯させる手段などを設けても良い。
【００２２】
記憶部１０は、例えば音声や画像のデータ、制御部２の設定、電話帳及び携帯端末装置１の各種設定などを記憶してる。一般的に、記憶部１０には、Ｆｌａｓｈ ＲＯＭ（Read Only Memory）などの不揮発メモリが利用される。また、記憶部１０は、携帯端末装置１から脱着可能であったり、携帯端末装置１に内蔵されるものとは別に外部メモリ（図示せず）などであっても良い。
【００２３】
データ記録処理部１１は、マイク４や、電話送受信部５、放送受信部６などから得られた音声データや、音楽データ、画像データ等を予め定められた形式に符号化する。予め定められた形式としては、ＭＰＥＧ３（Moving Picture Experts Group Audio Layer-3）やＭＰＥＧ４などが利用される。
【００２４】
データ再生処理部１２は、予め定められた形式で記憶部１０に記憶されているデータを、スピーカ３や表示部８から出力できるように復号等の処理を行う。
【００２５】
次に、図１に示す構成の携帯端末装置１において、有料放送や公共放送を視聴中に着呼があった場合の処理フローについて説明する。
【００２６】
一般に、有料放送や公共放送は、放送事業者が設置している放送用衛星あるいは放送用アンテナから送信される電波によって提供されている。ここで、有料放送や公共放送とは、具体的にはテレビ放送であったり、ＦＭ放送あるいはＡＭ放送などである。
【００２７】
まず、携帯端末装置１において、有料放送や公共放送を視聴する場合、放送受信部６のアンテナＢは、放送用アンテナ等から送信される電波を受信する。受信した電波は、放送受信部６内で、制御部２が処理可能なデータに復号される。
【００２８】
放送受信部６で復号されたデータは、制御部２で音データと画像データに分離し、音データはスピーカ３に、画像データは表示部８に送信される。なお、音データと画像データに分離するために制御部２を用いる必要は必ずしもなく、他の構成要素で処理を行っても良い。
【００２９】
音データを受信したスピーカ３は、当該音データを増幅して外部に出力する。このとき、使用者は、操作部７を用いて増幅率を変化させることにより、使用者に聞こえる音量を調整することができる。一方、画像データを受信した表示部８は、当該画像データを表示する。
【００３０】
次に、有料放送や公共放送の視聴中に着呼があった場合の処理について説明する。図２に、有料放送や公共放送の視聴中に着呼があった場合の本実施の形態に係る携帯端末装置１の処理を説明するためのフロー図を示す。以下、図２に示すフロー図を用いて説明する。
【００３１】
まず、使用者が有料放送や公共放送（以下、単に放送という）を視聴しているときに、電話送受信部５のアンテナＡが、通信事業者の基地局の通信用アンテナから通話開始を要求する電波を受信する。つまり、有料放送や公共放送の視聴中に、携帯端末装置１に着呼があった場合である（ステップＳ１）。
【００３２】
使用者は、放送を視聴しているときの着呼への対応を予め設定することができる。具体的には、着呼に対して自動で応答処理するか、着呼に対して使用者が手動で応答するかを設定できる。当該設定は、使用者が操作部７を用いて行い、その値を応答設定値として記憶部１０に記憶しておく。
【００３３】
制御部２では、着呼があった場合、記憶部１０から応答設定値を読み出し、当該値に基づいて自動応答するか手動応答するかを判断する（ステップＳ２）。
【００３４】
応答設定値が自動応答に設定されている場合、制御部２は自動応答処理を開始する（ステップＳ３）。具体的に、自動応答処理は、通話を開始し、記憶部１０に予め保存されているアナウンスや使用者の応答メッセージを、発信者に通知する。さらに、制御部２は、発信者の用件などを記憶部１０に記憶する。なお、ステップＳ３に示した自動応答処理が行われている間、使用者は、放送の視聴を中断することなく継続して放送を視ることができる。ステップＳ３に示した自動応答処理は、使用者が気付くことなく、バックグラウンドで処理される。
【００３５】
記憶部１０へ発信者の用件などを記憶するのが終わり着呼側から自動的に切断するか、発信者側から切断するかにより通話は切断される。制御部２は、この切断状態を検知する処理を行う（ステップＳ４）。そして、ステップＳ４で通話が切断されていると判断された場合、制御部２は通話を終了する（ステップＳ５）。ステップＳ５の処理後、視聴中の着呼処理を終了する。
【００３６】
応答設定値が手動応答と設定されていた場合、まず制御部２は、スピーカ３やバイブレータ９を用いて、使用者に着呼があることを通知する。そして、制御部２は、表示部８に通話を開始するか否かを選択するメッセージを表示し、使用者に選択を促す。当該表示等に基づき使用者は操作部７を操作し、着呼に応答して通話開始させるか否かを選択する（ステップＳ６）。
【００３７】
ステップＳ６で使用者が通話開始を選択した場合、制御部２は、さらに視聴中の放送を記録するか否かを選択するメッセージを表示部８に表示させ、使用者に選択を促す。使用者は、当該表示に基づき、操作部７から視聴中の放送を記録するか否かについて選択する（ステップＳ７）。なお、ステップＳ６で使用者が通話開始を選択しない場合、ステップＳ３に進み自動応答処理が開始される。
【００３８】
使用者がステップＳ７で視聴中の放送を記録することを選択した場合、携帯端末装置１は、通話中の放送記録処理を開始する（ステップＳ８）。具体的には、制御部２は、視聴中の放送の音データ及び画像データをデータ記録処理部１１に送信する。データ記録処理部１１では、予め定められた形式に基づいて音データ及び画像データの符号化を行う。そして、制御部２は、符号化された音データ及び画像データを記憶部１０で記憶させることで、視聴中の放送を記録することができる。
【００３９】
ステップＳ８で視聴中の放送記録処理が開始された後に、制御部２は、使用者と発信者との通話を開始させる（ステップＳ９）。なお、通話中は、放送の音データをスピーカ３から出力するのを停止し、発信者の音声を出力しても、放送の音データと発信者の音声とをミキシングして出力しても良い。
【００４０】
通話中に放送された画像データについても同様の処理を行っても良い。つまり、通話中は、放送の画像データを表示部８に出力するのを停止しても良いし、出力を継続しても良い。なお、携帯端末装置１においてテレビ電話を利用する場合は、発信者の画像と放送の画像データとを同時に表示するようにしても良い。
【００４１】
次に、制御部２は、使用者が自発的に通話を切断したか、発信者から通話を切断したかによる切断状態を検知する（ステップＳ１０）。ステップＳ１０で通話が切断されていると判断された場合、制御部２は、通話を終了させる（ステップＳ１１）。
【００４２】
ステップＳ１１で通話が終了すると、制御部２は、通話中において行っていた放送の記録を通話終了後も継続するか否かを選択するメッセージを表示部８に表示させ、使用者に選択を促す。そして、使用者は操作部７を用いて、通話終了後の放送の記録継続の有無を選択する（ステップＳ１２）。
【００４３】
ステップＳ１２で、通話終了後も放送の記録継続を選択した場合、視聴中の着呼処理を終了する。この場合、制御部２は、使用者が操作部７を用いて自発的に放送の記録を停止する操作を行うか、記憶部１０の記憶領域が所定量以下になる場合に、放送の記録を停止する処理を行う。
【００４４】
ステップＳ１２で、通話終了後に放送の記録継続を停止する場合、制御部２は、放送の記録処理を停止する（ステップＳ１３）。ステップＳ１３の処理後、視聴中の着呼処理を終了する。
【００４５】
ステップＳ７で、視聴中の放送を記録しないことを選択した場合、制御部２は、通話開始の処理を行う（ステップＳ１４）。次に、制御部２は、使用者が自発的に通話を切断したか、発信者から通話を切断したかの切断状態を検知する（ステップＳ１５）。ステップＳ１５で通話が切断されていると判断された場合、制御部２は、通話を終了させる（ステップＳ１６）。ステップＳ１６の処理後、視聴中の着呼処理を終了する。
【００４６】
なお、本実施の形態では、音出力手段であるスピーカ３が携帯端末装置１内に備えられているものとして説明したが、携帯端末装置１と接続可能なイヤホンなどであっても構わない。ここで、イヤホンとしては、モノラル方式でもステレオ方式でも構わない。
【００４７】
同様に、本実施の形態では、音入力手段であるマイク４も携帯端末装置１内に備えられているものとして説明したが、携帯端末装置１と接続可能な外部マイクなどあっても構わない。
【００４８】
さらに、本実施の形態では、スピーカ３及びマイク４が携帯端末装置１内に備えられているものとして説明したが、携帯端末装置１と接続可能なイヤホン付きマイクなどであっても構わない。ここで、イヤホンとしては、モノラル方式でもステレオ方式でも構わない。
【００４９】
また、本実施の形態では、音の入出力手段として携帯端末装置１内に備えられたスピーカ３及びマイク４を利用したが、携帯端末装置１と接続可能な外部の入出力装置であっても構わない。外部の入出力装置として、例えば、ステレオスピーカを備えた録音・再生システムを用いても構わない。
【００５０】
なお、図２に示すフロー図では、放送の視聴中における着呼処理について説明したが、本発明はこれに限られず、放送の記録中における着呼処理についても図２に示すフロー図と同様の処理を行うことができる。
【００５１】
また、図２に示すフロー図は例示であり、放送の視聴中における着呼処理について他の処理方法であっても良い。例えば、ステップＳ６で通話を開始する選択をした後に、ステップＳ８の放送記録処理を開始し、その後に通話中の記録実施を選択するステップＳ７を行うフローでも良い。当該フローの場合、使用者がステップＳ７を行う間も放送を記録することが可能となり、使用者が放送の内容を見逃したり、録り逃したりする部分をより減らすことができる。但し、ステップＳ７で通話中の記録実施を選択しない場合は、ステップＳ８の放送記録処理を終了させる必要がある。
【００５２】
以上のように、本実施の形態に係る携帯端末装置１では、上述した制御部２、放送受信部６、記憶部１０及びデータ記録処理部１１等を備えている。そのため、本実施の形態に係る携帯端末装置１は、放送の視聴中あるいは放送の記録中における着呼に対して、使用者が希望する応答が可能となり、使用者の利便性が向上する。また、放送の視聴中における着呼に対して、通話を開始した場合でも、視聴中の放送を記録することができるので、使用者が放送の内容を見逃したり、録り逃したりすることがなくなる。さらに、使用者が放送の視聴を優先させて通話に出ない割合が低下するため、通信事業者にとっても、通信収入が増える利点がある。
【００５３】
（実施の形態２）
次に、本実施の形態２に係る携帯端末装置１の詳細を説明する。まず、図３に、本実施の形態に係る携帯端末装置１のブロック図を示す。
【００５４】
図３に示す携帯端末装置１では、図１に示す携帯端末装置１と異なり制御部２内にデータ圧縮部２１を有している。他の構成について、図３に示す携帯端末装置１は、図１に示す携帯端末装置１と同じであり、同一の構成要素について同一の符号を付して詳細な説明は省略する。
【００５５】
データ圧縮部２１は、記憶部１０に記憶されているデータを予め定められた形式でデータ圧縮処理を行う。例えば、記憶部１０に記憶されている画像データについて、所定の形式に従い色数を減らしたり、画像サイズを減らすことなどで、データ圧縮を行う。また、記憶部１０に記憶されている音データについても、サンプリングレートを下げるなどで、データ圧縮を行う。
【００５６】
より具体的に本実施の形態に係るデータ圧縮処理について説明する。まず、有料放送や公共放送などの視聴中に着呼があった場合、当該着呼の処理は基本的に実施の形態１で説明した内容と同じである。そのため、本実施の形態では着呼処理の詳細な説明は省略する。本実施の形態では、視聴中の着呼に対して使用者が通話することを選択し、さらに視聴中の放送を記録することを選択した場合について説明する。この場合、本実施の形態に係る携帯端末装置１は、予め定められた形式で記憶部１０に記憶されている放送の音データや画像データ（以下、単に放送データ２２という）を、データ圧縮部２１でデータ圧縮処理を行う。
【００５７】
データ圧縮部２１でデータ圧縮処理された放送データ２２は、圧縮放送データ２３として記憶部１０に記憶される。本実施の形態では、放送データ２２をデータ圧縮部２１で圧縮し、放送データ２２と置き換えて圧縮放送データ２３を記憶部１０に記憶させている。但し、当該処理は、通話の処理と並行して行っている。
【００５８】
なお、放送データ２２をデータ圧縮部２１で圧縮し、放送データ２２と置き換えて圧縮放送データ２３として記憶部１０に記憶する処理は、必ずしも通話の処理と並行して行う必要はない。使用者の意思によって、いつでも放送データ２２から圧縮放送データ２３へ処理することができるように構成しても良い。
【００５９】
以上のように、本実施の形態に係る携帯端末装置１では、データ圧縮部２１で放送データ２２を圧縮し、圧縮放送データ２３として記憶部１０に記憶させる。そのため、本実施の形態に係る携帯端末装置１は、記憶部１０の空き領域が増え放送の記録時間が長くなるので、通話中に放送を録り逃してしまう機会を減少させ、使用者の利便性を向上させることができる。
【００６０】
なお、本実施の形態では、データ圧縮部２１で処理されるデータとして放送データ２２が説明されているが、本発明はこれに限られず、放送データ２２以外の音データ，画像データや他のデータであっても良い。
【図面の簡単な説明】
【００６１】
【図１】本発明の実施の形態１に係る携帯端末装置のブロック図である。
【図２】本発明の実施の形態１に係る携帯端末装置の着呼処理のフロー図である。
【図３】本発明の実施の形態２に係る携帯端末装置のブロック図である。
【符号の説明】
【００６２】
１  携帯端末装置、２  制御部、３  スピーカ、４  マイク、５  電話送受信部、６  放送受信部、７  操作部、８  表示部、９  バイブレータ、１０  記憶部、１１  データ記録処理部、１２  データ再生処理部、２１  データ圧縮部、２２  放送データ、２３  圧縮放送データ。
【図１】
2007166249.tif 000003
【図２】
2007166249.tif 000004
【図３】
2007166249.tif 000005